(57)【要約】【課題】製造が容易であるとともに製造コストを抑えることが可能であり、更に、長期間の使用によっても、またこれを身に付けた状態で入浴等をした場合であっても機能が損なわれることを防止する。【解決手段】チェーン径を自在に調整可能としたチェーン状装身具であって、両端を自由端としたチェーン（２）と、該チェーン（２）の一端が連結されるとともに、前記チェーン（２）の他端が移動自在に貫通したアジャスター（３）とを具備し、前記アジャスター（３）は、金属製、炭素繊維製、合成樹脂製等の筒状の素材を、チェーンが摺動するとともにその摺動に際してチェーンに対して摺動抵抗を加えることが可能な抵抗部（４０２）が内部に形成される形状に変形させて形成した、チェーンの他端部分が貫通する本体部（４）と、該本体部（４）の外面に形成した、チェーンの一端が連結される連結部（５）とを具備した。【選択図】図１
2007020673.tif 000002
【特許請求の範囲】
【請求項１】
チェーン状装身具に用いるアジャスターであって、
筒状の素材を任意の形状に変形させて形成した、チェーンの他端部分が貫通する本体部（４）と、
該本体部（４）の外面に形成した、チェーンの一端が連結される連結部（５）と、を具備し、
前記本体部（４）は、チェーンが摺動するとともにその摺動に際してチェーンに対して摺動抵抗を加えることが可能な抵抗部（４０２）が内部に形成される形状に変形させたことを特徴とするチェーン状装身具に用いるアジャスター。
【請求項２】
前記本体部（４）を略く字状に変形させたことを特徴とする請求項１に記載のチェーン状装身具に用いるアジャスター。
【請求項３】
前記本体部（４）を略コ字状に変形させたことを特徴とする請求項１に記載のチェーン状装身具に用いるアジャスター。
【請求項４】
前記本体部（４）を１又は複数個の円弧部分を有する変形させたことを特徴とする請求項１に記載のチェーン状装身具に用いるアジャスター。
【請求項５】
円筒状の素材を用いて前記本体部（４）を形成したことを特徴とする請求項１乃至請求項４のいずれかに記載のチェーン状装身具に用いるアジャスター。
【請求項６】
前記本体部（４）を金属製としたことを特徴とする請求項１乃至請求項５のいずれかに記載のチェーン状装身具に用いるアジャスター。
【請求項７】
前記本体部（４）を炭素繊維製としたことを特徴とする請求項１乃至請求項５のいずれかに記載のチェーン状装身具に用いるアジャスター。
【請求項８】
前記本体部（４）を合成樹脂製としたことを特徴とする請求項１乃至請求項５のいずれかに記載のチェーン状装身具に用いるアジャスター。
【請求項９】
チェーン径を自在に調整可能としたチェーン状装身具であって、
両端を自由端としたチェーン（２）と、
該チェーン（２）の一端が連結されるとともに、前記チェーン（２）の他端が移動自在に貫通したアジャスター（３）とを具備し、
前記アジャスター（３）として、前記請求項１乃至請求項８のいずれかに記載のアジャスターを用いたことを特徴とするチェーン状装身具。
【発明の詳細な説明】
【技術分野】
【０００１】
本発明は、ネックレス、ブレスレット等のチェーン状装身具に用いるアジャスター及びそれを用いたチェーン状装身具に係り、より詳しくは、製造が容易であり製造コストも抑えることができ、更に、長期間の使用によっても、またこれを身に付けた状態で入浴等をした場合であってもその調整機能が損なわれることのないアジャスター及びそれを用いたチェーン状装身具に関する。
【背景技術】
【０００２】
一般的に、ネックレス、ブレスレット等のチェーン状装身具では、これを構成するチェーンは無端状となっており、その長さを調整することは不可能とされているが、近年、使い勝手等の利便性を目的として、アジャスターを用いてチェーンの長さを自在に調整可能としたものが提供されてきている。
【０００３】
ここで、図１０は、チェーン径を自在に調整可能としたチェーン状装身具３１を説明するための図であり、アジャスター近傍を示している。そして、図において３２はチェーンであり、このチェーン状装身具３１では、前記チェーン３２が移動自在に貫通したアジャスター３４を備えており、このアジャスター３４には前記チェーン３２の他端が連結されている。
【０００４】
そして、前記アジャスター３４内にはシリコンゴム等の弾性体３５が挿入されているとともに、この弾性体３５にチェーン３２の直径よりも僅かに小径の貫通孔３６を形成し、この貫通孔３６にチェーン３２を挿通するとともにチェーン３２の先端に抜け防止手段３７を連結し、これにより、弾性体３５の弾性力を利用し、チェーン３２を任意の位置で係止可能としている。
【０００５】
そのため、このチェーン状装身具３１では、チェーン３２の径を自在に調整することが可能であるとともに、シリコンゴム等の弾性体３５の弾性力により、チェーン３２の長さを所望する寸法で係止可能となる。
【特許文献１】登録実用新案第３０６３８９１号公報
【発明の開示】
【発明が解決しようとする課題】
【０００６】
しかしながら、アジャスター内にシリコンゴム等の弾性体を挿入するとともに、この弾性体に小径の貫通孔を形成することは容易ではないため、このようなアジャスターでは、製造が面倒になるとともに、製造コストが上がってしまうという問題点が考えられる。
【０００７】
その一方、シリコンゴムの弾性力を利用してチェーンを係止可能とした場合には、使用によってシリコンゴムが磨耗するとともに弾性力も衰えてくるため、使用を継続することにより、アジャスターとしての機能を十分に発揮できなくなるおそれが考えられる。
【０００８】
また、チェーン状装身具を身につけた状態で入浴等をした場合には、シリコンゴムの収縮等によりチェーンの径が変わってしまうおそれも十分に考えられる。
【０００９】
そしてこのことは、シリコンゴムに限らず、その他、合成樹脂等を用いてチェーンを係止する構造にした場合も同様である。
【００１０】
そこで、本発明は、製造が容易であるとともに製造コストを抑えることが可能であり、更に、長期間の使用によっても、またこれを身に付けた状態で入浴等をした場合であっても機能が損なわれることのないアジャスター及びそれを用いたチェーン状装身具を提供することを課題としている。
【課題を解決するための手段】
【００１１】
本発明のチェーン状装身具に用いるアジャスターは、チェーン状装身具に用いるアジャスターであって、筒状の素材を任意の形状に変形させて形成した、チェーンの他端部分が貫通する本体部と、該本体部の外面に形成した、チェーンの一端が連結される連結部と、を具備し、前記本体部は、チェーンが摺動するとともにその摺動に際してチェーンに対して摺動抵抗を加えることが可能な抵抗部が内部に形成される形状に変形させたことを特徴としている。
【００１２】
また、このアジャスターを用いた本発明のチェーン状装身具は、両端を自由端としたチェーンの一端を前記アジャスターに連結するとともに、前記チェーンの他端で前記アジャスターを貫通することで構成されたことを特徴としている。
【発明の効果】
【００１３】
本発明のアジャスターは、これを貫通したチェーンが摺動するとともに摺動に際してチェーンに摺動抵抗を加えることが可能な抵抗部が内部に形成される形状に変形させた本体部を備えているために、本体部を貫通させたチェーンを引っ張ると、本体部内においてチェーンは、少なくとも本体部内の抵抗部と摺動するとともに、その摺動時の抵抗により、チェーンの移動に制限を加えることが可能となる。
【００１４】
そのため、本発明のアジャスター及びこれを用いたチェーン状装身具では、アジャスターの内部にシリコンゴム等の弾性体を挿入するとともにこの弾性体に小径の貫通孔を形成した従来のアジャスターと異なり、製造に際して面倒な作業を必要とすることなくチェーン径を自在に調節することが可能であるとともに、長期間の使用によっても、またこれを身に付けた状態で入浴等をした場合であっても機能が損なわれることのないアジャスター及びそれを用いたチェーン状装身具を得ることが可能である。
【発明を実施するための最良の形態】
【００１５】
本発明のチェーン状装身具に用いるアジャスターは、チェーンが貫通する本体部を有しており、この本体部は、金属、炭素繊維、合成樹脂等によりなる略円筒状の素材を、チェーンが摺動するとともにその摺動に際してチェーンに対して摺動抵抗を加えることが可能な抵抗部が内部に形成される形状に変形させて形成され、その外面任意の箇所には、チェーンの一端が連結される連結部が形成されている。
【００１６】
そして、本発明のチェーン状装身具は、両端を自由端としたチェーンの一端を前記本体部に連結するとともに、チェーンの他端で前記本体部を貫通することにより構成されている。
【００１７】
ここで、前記本体部の形状としては、略く字状、略コ字状、または、１又は複数個の円弧部分を有する形状にするとよく、これにより、チェーンが摺動するとともに摺動に際してチェーンに摺動抵抗を加えることが可能な抵抗部を容易に形成することが可能となる。
【実施例１】
【００１８】
本発明のチェーン状装身具の実施例について図面を参照して説明すると、図１は本実施例のチェーン状装身具の正面図であり、本実施例では、ダイヤモンドを備えたペンダントが係止されたネックレスとしている。
【００１９】
即ち、図において１が本実施例のネックレスであり、このネックレス１は、両端が自由端とされたチェーン２を有しており、このチェーン２における任意の箇所には、３個のダイヤモンドを備えたペンダント７が係止されている。なお、本実施例において前記ペンダントとしては、正面形状を丸型としたダイヤモンドを３連にしたものを用いているが、必ずしも正面形状を丸型にしたダイヤモンドを３連にしたペンダントを使用する必要はなく、また、ペンダントを備えない形態としてもよい。
【００２０】
次に、図において３はアジャスターであり、本実施例のネックレス１では、アジャスター３を介してチェーン２を無端状にするとともに、チェーン２の径を自在に調節可能としている。
【００２１】
即ち、本実施例において前記アジャスター３は、チェーン２を貫通可能な中空状にするとともに、図１に示すように、その外側に、連結部としての環体５が形成されており、この環体５には更に引輪６が連結されている。一方、前記チェーン２の一端部には留め具２０１が備えられ、この留め具２０１が前記アジャスター３に備えた引き輪６に連結されている。また、チェーン２の他端側は前記アジャスター３を貫通するとともに、その先端には、アジャスター３の内径よりも大き目の外径とした抜け防止手段８が連結され、チェーン２がアジャスター３より抜け出てしまうことを防止しており、これにより、チェーン２は無端とされている。
【００２２】
ここで、前記アジャスター３の構成について説明すると、図２は前記アジャスター３を説明するための一部断面図であり、縦断正面を示している。そして、図においてアジャスター３は、全体を略く字状に湾曲させた本体部４を有しており、従って、本体部４の内部には、これを貫通したチェーン２が摺動するとともにその摺動に際してチェーン２に対して摺動抵抗を加えることが可能な抵抗部４０２が形成されている。
【００２３】
即ち、前記本体部４は、金属製の円筒状の素材を用いて、これを、その長手方向に向いた中央部分近傍において任意の角度をもって湾曲させて構成され、両端部の貫通孔４０１を介して、チェーン２によりその内部を貫通可能としており、長手方向に向いた中央部分近傍の内壁における凸部分が抵抗部４０２とされている。
【００２４】
次に、このように構成されるアジャスター３の作用について図３を用いて説明すると、図３はアジャスター３をチェーン２が貫通している状態を示す一部断面図であり、図に示すように、前記本体部４をチェーン２が貫通すると、チェーン２は、本体部４内において、本体部４の内壁の形状に沿って、本体部４と同様にして略く字状に変形する。
【００２５】
そうすると、この状態において、チェーン２を、本体部４の両端部を結ぶ線方向（図における矢印Ａ１又はＡ２方向）へ引っ張ると、チェーン２は、本体部４の内部において、抵抗部４０２の部分、即ち図３におけるＰ１部分と摺動するとともに摺動抵抗が加えられ、更に、本体部４の両端部内壁における、前記凸部分Ｐ１における内径側への突出方向と同方向の部分（図におけるＰ２部分）とも摺動し、その摺動抵抗により、チェーン２の移動に制限が加えられる。
【００２６】
また、チェーン２を本体部４の両端部の長手方向（図における矢印Ｂ１又はＢ２方向）へ移動させた場合でも、チェーン２は、本体部４の内部において、少なくとも前記抵抗部４０２と摺動するとともに摺動抵抗が加えられ、その摺動抵抗により、チェーン２の移動に制限が加えられる。
【００２７】
従って、本実施例のアジャスター３によれば、特に面倒な手段を用いることなくチェーン２の移動に制限を加えることができるために、製造コストを上げることなく、チェーン径の調節を自在に行うことが可能なアジャスターを得ることが可能である。
【００２８】
なお、前記本体部４を湾曲させる角度は特に限定されないが、９０度前後乃至１２０度前後が好ましい。
【００２９】
また、本体部４は必ずしも金属製にする必要はなく、その他、例えば、炭素繊維、合成樹脂等により構成してもよい。
【００３０】
更に、環体５の形成箇所は特に限定されない。即ち、図２では、略く字状とした本体部４における窪み部分側の先端部に環体５を形成しているが、その他、図４に示すアジャスター３ｂのように、窪み部分に対向する側の先端部に環体５を形成してもよく、図５及び図６に示すアジャスター３ｃ、３ｄのように、く字状の頂点部分又はその裏側部分に形成してもよい。
【００３１】
更にまた、図７に示すアジャスター３ｅのように、本体部４の両端部分の径を他の部分よりも大きくしてもよく、これによれば、チェーン２のスムーズな動きを確保することが可能となる。
【００３２】
次に、このように構成される本実施例のネックレス１の作用について説明すると、本実施例のネックレス１においてチェーン２の径を変更する場合には、本体部４を、例えば指等でつかんだ状態で、アジャスター３を境にして、チェーン２を、抜け防止手段８側、あるいは反抜け防止手段側に引っ張る。そうすると、チェーン２は、本体部４の内部において、少なくとも抵抗部４０２の部分と摺動しつつその長手方向へ移動して、これによって、チェーン２の径を調節することが可能となる。
【００３３】
そして、チェーン２に加えていた力を解除すると、チェーン２と本体部４内における抵抗部４０２の部分との摺動抵抗が作用してチェーン２の位置が固定されて、これによりチェーン２を所望の径で維持することが可能となる。
【００３４】
このように、本実施例においては、筒状とした素材を任意の角度をもって湾曲させて略く字状に形成してなる本体部を備えたアジャスターを用いて、本体部内における抵抗部とチェーンとの摺動抵抗を利用してチェーン径を調節可能としているため、シリコンゴム等の弾性体を用いてアジャスター内にチェーンを係止している従来のネックレスと異なり、製造が容易であるとともに製造コストを抑えることができ、更に、長期間の使用によっても、また入浴等をした場合でも、アジャスターの機能が落ちることが無いという利点が考えられる。
【００３５】
なお、前述の実施例では、円筒状の素材を略く字状に変形させて本体部４を形成した場合を説明したが、本発明のアジャスターでは、必ずしも、円筒状の素材を略く字状に変形させて本体部を形成する必要は無く、本体部は、チェーンが摺動するとともに摺動に際してチェーンに摺動抵抗を加えることが可能な抵抗部が内部に形成される形状に変形させてあればよい。
【００３６】
例えば、図８及び図９は、アジャスターの他の形態を示した一部縦断正面図であり、図８に示すアジャスター３ｆでは、筒状の素材を、円弧部分を有する形状に変形させて略半円状の本体部４を形成しており、本体部４の内部における内周側のほぼ全域が抵抗部４０２とされる。
【００３７】
また、図９に示すアジャスター３ｇでは、筒状の素材を、一対の脚部４０３とこの一対の脚部４３を連通する連通部４０４により構成される略コ字状に変形させて本体部を形成しており、そしてこの場合には、窪み側における、一対の脚部４０３のそれぞれと連通部４０４との連結部分内壁が抵抗部４０２とされる。
【００３８】
更に、図示は省略するが、円弧部分を有する形状に変形させた本体部とした場合において、必ずしも円弧部分を１個とする必要はなく、例えば２個の円弧部分を形成して、例えばＳ字状として本体部を形成してもよい。
【００３９】
更にまた、本体部を略く字形状に変形させる場合において、頂点部分を鋭角にしてもよく、これらいずれの形状に本体部４を形成した場合にも、前述の場合と同様に、環体５の形成箇所は特に限定されない。
【産業上の利用可能性】
【００４０】
本発明は、その内部においてチェーンが摺動する抵抗部が形成される形状に変形させた本体部を備えたアジャスターによって、チェーンと抵抗部の摺動抵抗を利用してチェーン径を調節可能としているため、ネックレスに限らず、ブレスレット等、チェーンを用いたチェーン状装身具の全般に適用可能である。
【図面の簡単な説明】
【００４１】
【図１】本発明のチェーン状装身具の実施例の正面図である。
【図２】アジャスターを説明するための一部断面図である。
【図３】アジャスターの作用を説明するための一部断面図である。
【図４】環体の形成箇所を説明するための図である。
【図５】環体の形成箇所を説明するための図である。
【図６】環体の形成箇所を説明するための図である。
【図７】環体の形成箇所を説明するための図である。
【図８】本体部の他の形態を説明するための正面図である。
【図９】本体部の他の形態を説明するための正面図である。
【図１０】従来のアジャスターを説明するための図である。
【符号の説明】
【００４２】
１    ネックレス
２    チェーン
２０１    留め具
３    アジャスター
４    本体部
４０１    貫通孔
４０２    抵抗部
５    環体
６    引き輪
７    ペンダント
８    抜け防止手段
【図１】
2007020673.tif 000003
【図２】
2007020673.tif 000004
【図３】
2007020673.tif 000005
【図４】
2007020673.tif 000006
【図５】
2007020673.tif 000007
【図６】
2007020673.tif 000008
【図７】
2007020673.tif 000009
【図８】
2007020673.tif 000010
【図９】
2007020673.tif 000011
【図１０】
2007020673.tif 000012